(57)【要約】【課題】レール構造に塗布されたグリスの基板側へのはみ出しを防止することが可能なスイッチ構造を提供する。【解決手段】スイッチ構造１は、スイッチ素子１１が搭載された基板１０上に設置されるスイッチホルダ２０と、当該スイッチホルダ２０に保持されるスイッチノブ４０とを有する。スイッチホルダ２０に設けられたホルダ側レール部と、スイッチノブ４０に設けられたノブ側レール部とを含むレール構造により、スイッチホルダ２０にスイッチノブ４０が押下方向に移動可能に保持される。スイッチノブ４０の押下方向の移動によりスイッチ素子１１が押下される。当該スイッチ構造１において、ホルダ側レール部と基板１０とを仕切る、押下方向に対向する仕切り壁２８が設けられている。【選択図】図１
2008177077.tif 000002
【特許請求の範囲】
【請求項１】
スイッチ素子が搭載された基板上に設置されるスイッチホルダと、前記スイッチホルダに保持されるスイッチノブとを有し、
前記スイッチホルダに設けられたホルダ側レール部と、前記スイッチノブに設けられたノブ側レール部とを含むレール構造により、前記スイッチホルダに前記スイッチノブが押下方向に移動可能に保持され、
前記スイッチノブの前記押下方向の移動により前記スイッチ素子が押下されるスイッチ構造であって、
前記ホルダ側レール部と前記基板とを仕切る、前記押下方向に対向する仕切り壁が設けられていることを特徴とするスイッチ構造。
【請求項２】
請求項１に記載のスイッチ構造であって、
前記仕切り壁は、前記ホルダ側レール部に塗布されたグリスの前記基板側へのはみ出しを防止することを特徴とするスイッチ構造。
【請求項３】
請求項１または２に記載のスイッチ構造であって、
前記仕切り壁には、挿通孔が設けられ、
前記スイッチノブには、前記挿通孔を通って前記基板側に突出する、前記スイッチ素子を押下するための押下部が設けられ、
前記仕切り壁には、前記ホルダ側レール部と前記挿通孔とを仕切る、前記スイッチノブ側に突出する突起が設けられている、
ことを特徴とするスイッチ構造。
【請求項４】
請求項３に記載のスイッチ構造であって、
前記突起は、前記ホルダ側レール部に塗布されたグリスが前記挿通孔を通って前記基板側にはみ出すことを防止することを特徴とするスイッチ構造。
【請求項５】
スイッチ素子が搭載された基板上に設置され、スイッチノブの押下方向の移動により前記スイッチ素子が押下されるように前記スイッチノブを前記押下方向に移動可能に保持するスイッチホルダであって、
前記スイッチノブに設けられたノブ側レール部と共に、前記スイッチノブを前記押下方向に移動可能に保持するためのレール構造を構成するホルダ側レール部と、
前記ホルダ側レール部と前記基板とを仕切る、前記押下方向に対向する仕切り壁と、
を有することを特徴とするスイッチホルダ。
【請求項６】
請求項５に記載のスイッチホルダであって、
前記仕切り壁には、
前記スイッチノブに設けられた前記スイッチ素子を押下するための押下部が挿通される挿通孔と、
前記ホルダ側レール部と前記挿通孔とを仕切る、前記スイッチノブ側に突出する突起と、
が設けられていることを特徴とするスイッチホルダ。
【発明の詳細な説明】
【技術分野】
【０００１】
本発明は、スイッチホルダにスイッチノブが移動可能に保持されるスイッチ構造、およびスイッチノブを移動可能に保持するスイッチホルダに関する。
【背景技術】
【０００２】
スイッチホルダにスイッチノブが移動可能に保持されるスイッチ構造が知られている（例えば、特許文献１を参照）。
【０００３】
図５は、従来のスイッチ構造の一例を示す分解斜視図である。図５において、スイッチ構造は、スイッチ素子７１，７２が搭載された基板７３と、当該基板７３上に設置されるスイッチホルダ７４と、当該スイッチホルダ７４に保持されるスイッチノブ７５，７６とを有する。このスイッチ構造では、スイッチホルダ７４に設けられたホルダ側レール部７７，７８と、スイッチノブ７５，７６の各々に設けられたノブ側レール部（不図示）とを含むレール構造により、スイッチホルダ７４にスイッチノブ７５，７６が押下方向（図５の矢印Ｘ方向）に移動可能に保持される。そして、スイッチノブ７５，７６が押下操作されると、各スイッチノブに設けられた押下部材（不図示）によって、各スイッチノブ７５，７６に対応するスイッチ素子７１，７２が押下される。
【０００４】
上記スイッチ構造の組み付け工程では、スイッチホルダ７４にスイッチノブ７５，７６が組み付けられ、ついでスイッチホルダ７４が基板７３に組み付けられる。ここで、スイッチノブ７５，７６の組み付けの際には、ホルダ側レール部７７，７８の先端部７９，８０にグリスが塗布され、スイッチホルダ７４にスイッチノブ７５，７６が組み付けられるのと同時に、ホルダ側レール部７７，７８の根元までグリスが行き渡る。
【０００５】
【特許文献１】特開２００４−１３４２７４号公報
【発明の開示】
【発明が解決しようとする課題】
【０００６】
図５のようにホルダ側レール部がスイッチホルダの裏面まで形成されているものや、スイッチホルダの側面（外側面または内側面）に形成されているものでは、例えばグリスをスイッチホルダの根元まで行き渡らせるために多量のグリスがスイッチホルダの先端部に塗布される場合、グリスがスイッチホルダの裏面にはみ出し、基板に付着してしまう。基板にグリスが付着すると、例えば、スイッチ素子が正常に作動しないといった問題や、基板上の発光ダイオード（LED: Light Emitting Diode）８１，８２，８３上にグリスが付着することによりＬＥＤ８１，８２，８３の光が遮られるといった問題が生じ得る。また、液晶ディスプレイ（LCD: Liquid Crystal Display）などの表示部品にスイッチホルダを組み付ける場合には、はみ出したグリスが表示部品に付着し、外観品質上の問題が生じ得る。
【０００７】
そこで、本発明は、レール構造に塗布されたグリスの基板側へのはみ出しを防止することが可能なスイッチ構造を提供する。
【課題を解決するための手段】
【０００８】
本発明に係るスイッチ構造は、スイッチ素子が搭載された基板上に設置されるスイッチホルダと、前記スイッチホルダに保持されるスイッチノブとを有し、前記スイッチホルダに設けられたホルダ側レール部と、前記スイッチノブに設けられたノブ側レール部とを含むレール構造により、前記スイッチホルダに前記スイッチノブが押下方向に移動可能に保持され、前記スイッチノブの前記押下方向の移動により前記スイッチ素子が押下されるスイッチ構造であって、前記ホルダ側レール部と前記基板とを仕切る、前記押下方向に対向する仕切り壁が設けられていることを特徴とする。
【０００９】
本発明の一態様では、前記仕切り壁は、前記ホルダ側レール部に塗布されたグリスの前記基板側へのはみ出しを防止する。
【００１０】
また、本発明の一態様では、前記仕切り壁には、挿通孔が設けられ、前記スイッチノブには、前記挿通孔を通って前記基板側に突出する、前記スイッチ素子を押下するための押下部が設けられ、前記仕切り壁には、前記ホルダ側レール部と前記挿通孔とを仕切る、前記スイッチノブ側に突出する突起が設けられている。
【００１１】
また、本発明の一態様では、前記突起は、前記ホルダ側レール部に塗布されたグリスが前記挿通孔を通って前記基板側にはみ出すことを防止する。
【００１２】
本発明に係るスイッチホルダは、スイッチ素子が搭載された基板上に設置され、スイッチノブの押下方向の移動により前記スイッチ素子が押下されるように前記スイッチノブを前記押下方向に移動可能に保持するスイッチホルダであって、前記スイッチノブに設けられたノブ側レール部と共に、前記スイッチノブを前記押下方向に移動可能に保持するためのレール構造を構成するホルダ側レール部と、前記ホルダ側レール部と前記基板とを仕切る、前記押下方向に対向する仕切り壁と、を有することを特徴とする。
【００１３】
本発明の一態様では、前記仕切り壁には、前記スイッチノブに設けられた前記スイッチ素子を押下するための押下部が挿通される挿通孔と、前記ホルダ側レール部と前記挿通孔とを仕切る、前記スイッチノブ側に突出する突起と、が設けられている。
【発明の効果】
【００１４】
本発明によれば、レール構造に塗布されたグリスの基板側へのはみ出しを防止することが可能なスイッチ構造を提供することができる。
【発明を実施するための最良の形態】
【００１５】
以下、本発明の実施の形態を図面に従って説明する。
【００１６】
図１は、本実施の形態に係るスイッチ構造１の構成の一例を示す分解斜視図である。図２は、図１の矢印Ａ方向から見た、スイッチホルダ２０の正面図である。図３は、図１の矢印Ｂ方向から見た、スイッチノブ４０の背面図である。このスイッチ構造１は、例えば自動車等の車両に設置されるが、他のものに適用されても構わない。
【００１７】
図１に示されるように、スイッチ構造１は、基板１０と、当該基板１０に設置されるスイッチホルダ２０と、当該スイッチホルダ２０に保持されるスイッチノブ４０とを含む。
【００１８】
基板１０は、略平板状であり、当該基板１０には、押下されることにより作動するスイッチ素子１１が搭載されている。このスイッチ素子１１は、例えば、押下に応じてオン状態とオフ状態とが切り替わるものである。
【００１９】
また、基板１０には、スイッチ素子１１のオン／オフ状態に応じて点灯する光源１２、および車両の状態等に応じて点灯する光源１３が搭載されている。ここでは、光源１２，１３は、ＬＥＤである。ただし、基板１０に搭載される光源は、蛍光表示管（VFD: vacuum fluorescent display）など、他のものであってもよいし、省略されてもよい。
【００２０】
スイッチホルダ２０は、スイッチノブ４０側の嵌合部４１と嵌合する嵌合部２１を有する。嵌合部２１は、押下方向（図１の矢印Ｃ方向）に延びる略矩形筒状の部材である。嵌合部２１の内部空間は、押下方向に延びる仕切り壁２２により仕切られており、これにより、押下方向に延びる２つの導光路２３，２４が形成されている。導光路２３は、光源１２の光をスイッチノブ４０側に導くための通路であり、導光路２４は、光源１３の光をスイッチノブ４０側に導くための通路である。
【００２１】
また、スイッチホルダ２０には、ノブ側レール部と共にレール構造を構成するホルダ側レール部が設けられている。具体的には、嵌合部２１の３つの外側面には、ホルダ側レール部として、押下方向に延びるガイド溝２５，２６，２７が設けられている。ガイド溝２５，２６，２７は、それぞれ、スイッチノブ４０側のガイドレール４４，４５，４６を案内する溝である。
【００２２】
さらに、スイッチホルダ２０には、ホルダ側レール部（ガイド溝２５，２６，２７）と基板１０とを仕切る、押下方向に対向する仕切り壁２８が設けられている。具体的には、スイッチホルダ２０は、嵌合部２１と一体に成形された、仕切り壁２８を含む仕切り部２９を有する。
【００２３】
また、スイッチホルダ２０には、スイッチノブ４０側の係合部と係合する係合部が設けられている。具体的には、嵌合部２１の外側面の３箇所には、ホルダ側の係合部として、係合凸部３０，３１，３２が突設されている。また、仕切り壁２８には、３つの係合凸部３０，３１，３２に対応する３つの箇所に、スイッチノブ４０側の係合部材４７，４８，４９を受け入れるための孔３３，３４，３５が形成されている。
【００２４】
また、仕切り壁２８には、嵌合部２１の外側に対応する箇所に、スイッチノブ４０の押下部５０を通すための挿通孔３６が設けられている。さらに、仕切り壁２８には、ホルダ側レール部であるガイド溝２６と挿通孔３６とを仕切る、スイッチノブ４０側に突出する突起３７が設けられている。本実施の形態では、突起３７は、ガイド溝２６に隣接する位置に設けられている。また、突起３７は、挿通孔３６の略矩形状の開口の一辺に隣接して設けられており、仕切り壁２８には、さらに、突起３７に対向する辺に隣接するように突起３８が設けられている。突起３７，３８は、スイッチノブ４０の押下方向の移動を規制するノブストッパーとしての役割を果たす。
【００２５】
スイッチノブ４０は、スイッチホルダ２０側の嵌合部２１と嵌合する嵌合部４１を有する。この嵌合部４１は、嵌合部２１よりも一回り大きい、押下方向に延びる略矩形筒状の部材である。
【００２６】
また、スイッチノブ４０は、嵌合部４１の両側の開口のうち、スイッチホルダ２０側の反対側の開口を塞ぐ蓋部４２を有する。この蓋部４２には、光源１２に対向する位置に、レンズが埋め込まれた窓４３が設けられている。また、蓋部４２には、光源１３に対向する位置に、スイッチ素子１１により操作される対象等を表す形状を有する透光部（不図示）が設けられている。
【００２７】
さらに、スイッチノブ４０には、ホルダ側レール部と共にレール構造を構成するノブ側レール部が設けられている。具体的には、嵌合部４１の３つの内側面には、ノブ側レール部として、押下方向に延びるガイドレール４４，４５，４６が設けられている。ガイドレール４４，４５，４６は、それぞれ、スイッチホルダ２０側のガイド溝２５，２６，２７に案内されるレールである。
【００２８】
また、スイッチノブ４０には、スイッチホルダ２０側の係合部と係合する係合部が設けられている。具体的には、嵌合部４１の背面には、スイッチホルダ２０側の係合凸部３０，３１，３２に対応する３箇所に、係合凸部３０，３１，３２に係合する係合凹部が形成された係合部材４７，４８，４９が設けられている。
【００２９】
また、スイッチノブ４０には、スイッチホルダ２０の挿通孔３６を通って基板１０側に突出する、スイッチ素子１１を押下するための押下部５０が設けられている。具体的には、嵌合部４１の背面には、押下方向に延びる押下部５０が突設されている。
【００３０】
上記構成を有する、基板１０、スイッチホルダ２０、およびスイッチノブ４０は、次のように互いに組み付けられる。
【００３１】
まず、スイッチホルダ２０の３つのガイド溝２５，２６，２７の各々の先端部（スイッチノブ側の端部）に、グリスが塗布される。
【００３２】
ついで、スイッチホルダ２０にスイッチノブ４０が組み付けられる。具体的には、スイッチホルダ２０の嵌合部２１に、スイッチノブ４０の嵌合部４１が嵌められる。なお、図４には、スイッチホルダ２０にスイッチノブ４０が組み付けられた状態が示されている。
【００３３】
この際、スイッチノブ４０のガイドレール４４，４５，４６は、スイッチホルダ２０の対応するガイド溝２５，２６，２７に案内され、各ガイドレールの先端部は、対応するガイド溝の先端部から後端部（根元）まで移動する。これにより、塗布されたグリスが、各ガイド溝の先端部から後端部まで行き渡る。このとき、仕切り壁２８によって、グリスの基板１０側（またはスイッチホルダ２０の裏面側）へのはみ出しが防止される。すなわち、仕切り壁２８は、ホルダ側レール部に塗布されたグリスの基板１０側へのはみ出しを防止するように構成される。また、突起３７によって、ガイド溝２６に塗布されたグリスが挿通孔３６を通って基板１０側（またはスイッチホルダ２０の裏面側）にはみ出すことが防止される。すなわち、突起３７は、ホルダ側レール部に塗布されたグリスが挿通孔３６を通って基板１０側にはみ出すことを防止するように構成される。
【００３４】
また、スイッチノブ４０側の係合部材４７，４８，４９の各係合凹部が、スイッチホルダ２０側の対応する係合凸部３０，３１，３２に係合し、これにより、スイッチノブ４０が、スイッチホルダ２０から抜けないように、スイッチホルダ２０に保持される。
【００３５】
ついで、スイッチノブ４０が組み付けられたスイッチホルダ２０が、基板１０に組み付けられる。例えば、スイッチホルダ２０が、基板１０に対して螺子止めされる。
【００３６】
なお、上記の説明では、スイッチホルダ２０とスイッチノブ４０とが互いに組み付けられた後に、スイッチホルダ２０と基板１０とが互いに組み付けられているが、基板１０にスイッチホルダ２０が組み付けられた後に、スイッチホルダ２０にスイッチノブ４０が組み付けられてもよい。
【００３７】
上記のスイッチ構造１では、スイッチホルダ２０に設けられたホルダ側レール部（ガイド溝２５，２６，２７）とスイッチノブ４０に設けられたノブ側レール部（ガイドレール４４，４５，４６）とを含むレール構造により、スイッチホルダ２０にスイッチノブ４０が押下方向に移動可能に保持される。
【００３８】
そして、スイッチノブ４０の押下方向の移動により、基板１０上のスイッチ素子１１が押下される。具体的には、スイッチノブ４０の蓋部４２が利用者により押下操作されると、スイッチノブ４０の押下部５０が基板１０方向に変位し、押下部５０によりスイッチ素子１１が押下される。これにより、例えばスイッチ素子１１のオン／オフの状態が切り替わる。そして、例えば、スイッチ素子１１がオン状態に切り替わると、光源１２が点灯し、光源１２の光がスイッチノブ４０の窓４３から外部に出射され、これにより、スイッチ素子１１がオン状態であることが利用者に認識される。
【００３９】
以上のとおり、本実施の形態では、スイッチ素子が搭載された基板上に設置されるスイッチホルダと、当該スイッチホルダに保持されるスイッチノブとを有し、スイッチホルダに設けられたホルダ側レール部と、スイッチノブに設けられたノブ側レール部とを含むレール構造により、スイッチホルダにスイッチノブが押下方向に移動可能に保持され、スイッチノブの押下方向の移動によりスイッチ素子が押下されるスイッチ構造において、ホルダ側レール部と基板とを仕切る、押下方向に対向する仕切り壁が設けられる。このため、本実施の形態によれば、レール構造に塗布されたグリスの基板側へのはみ出しを防止することが可能となる。これにより、基板にグリスが付着することを防止することが可能となり、グリスの付着による不利益を回避することが可能となり、スイッチ構造の品質や組み付け性の向上を図ることが可能となる。
【００４０】
また、本実施の形態では、仕切り壁には、挿通孔が設けられ、スイッチノブには、挿通孔を通って基板側に突出する、スイッチ素子を押下するための押下部が設けられ、仕切り壁には、ホルダ側レール部と挿通孔とを仕切る、スイッチノブ側に突出する突起が設けられる。このため、本実施の形態によれば、レール構造に塗布されたグリスが挿通孔を通って基板側にはみ出すことを防止することが可能となる。
【００４１】
なお、本発明は、上記実施の形態に限定されるものではなく、本発明の要旨を逸脱しない範囲内で種々変更することができる。
【００４２】
例えば、上記実施の形態では、スイッチホルダ２０にガイド溝が設けられ、スイッチノブ４０にガイドレールが設けられているが、スイッチホルダ２０にガイドレールが設けられ、スイッチノブ４０にガイド溝が設けられる構成であってもよい。
【００４３】
また、上記実施の形態では、嵌合部２１の外側の挿通孔３６に押下部５０が挿通されているが、押下部５０は、嵌合部２１の内側の空間に挿通されてもよい。この構成では、挿通孔３６および突起３７は省略されてもよい。
【図面の簡単な説明】
【００４４】
【図１】本実施の形態に係るスイッチ構造の構成の一例を示す分解斜視図である。
【図２】図１の矢印Ａ方向から見た、スイッチホルダの正面図である。
【図３】図１の矢印Ｂ方向から見た、スイッチノブの背面図である。
【図４】スイッチホルダにスイッチノブが組み付けられた状態を示す斜視図である。
【図５】従来のスイッチ構造の一例を示す分解斜視図である。
【符号の説明】
【００４５】
１  スイッチ構造、１０  基板、１１  スイッチ素子、２０  スイッチホルダ、２５〜２７  ガイド溝（ホルダ側レール部）、２８  仕切り壁、３６  挿通孔、３７  突起、４０  スイッチノブ、４４〜４６  ガイドレール（ノブ側レール部）、５０  押下部。
【図１】
2008177077.tif 000003
【図２】
2008177077.tif 000004
【図３】
2008177077.tif 000005
【図４】
2008177077.tif 000006
【図５】
2008177077.tif 000007